(57)【要約】【課題】  放送メディアの増加により多チャンネル化したテレビ視聴環境の下、ユーザにおいては、番組選択のために必要な情報をスムーズに得ることが困難な状況になっている。このような状況の中で、ユーザにとって分かり易くて直感的な番組選択のためのインターフェイスの実現が求められている。【解決手段】  仮選択状態の番組画面を含めて現在放送中の全部または一部の番組画面を略水平方向に複数チャンネル分配置して表示するとともに、仮選択番組の情報を表示し、さらに、ユーザインターフェイスからの下方向指示を取得した場合には、仮選択番組の次に放送される番組コンテンツの情報を表示するＥＰＧ機能付きテレビ装置を提供する。【選択図】図１
2010147628.tif 000002
【特許請求の範囲】
【請求項１】
表示部と、
決定入力により直ちにユーザ視聴用に全画面表示される仮選択状態の仮選択番組画面を含めて現在放送中の全部または一部の番組画面を略水平方向に複数チャンネル分配置したチャンネル選択画面を表示部に出力するチャンネル選択画面出力部と、
仮選択番組画面の下方に表示可能な仮選択チャンネル情報を保持する仮選択チャンネル情報保持部と、
仮選択番組画面の下方に表示可能な仮選択チャンネルの次番組情報を保持する次番組情報保持部と、
表示切替のための方向指示可能なユーザインターフェイスと、
チャンネル選択画面に前記仮選択チャンネル情報が表示されている状態で、ユーザインターフェイスからの下方向指示を取得した場合に次番組情報保持部に保持されている次番組情報を表示するよう表示部を制御する第一制御部と、
を有するＥＰＧ機能付きテレビ装置。
【請求項２】
チャンネル選択画面に表示されている番組の放送メディアのＥＰＧ情報を取得するＥＰＧ情報取得部と、
表示部により次番組情報が表示されている状態でさらにユーザインターフェイスからの下方向指示を取得した場合にＥＰＧ情報取得部から取得するＥＰＧ情報を全画面表示させるよう表示部を制御する第二制御部と、
を有する請求項１に記載のＥＰＧ機能付きテレビ装置。
【請求項３】
前記全画面表示されたＥＰＧ表示画面では、所定の操作のため仮選択状態の番組枠が、ＥＰＧ表示をするためにユーザインターフェイスからの下方向指示を取得した際に表示されていた次番組情報で特定される番組枠となるように表示部を制御する第三制御部を有する請求項１または２に記載のＥＰＧ機能付きテレビ装置。
【請求項４】
ＥＰＧ情報を保持するＥＰＧ情報保持部と、
保持されているＥＰＧ情報を表示するＥＰＧ情報表示部と、
決定入力により直ちにユーザ視聴用に全画面表示されるように番組を仮選択するための仮選択部と、
仮選択部にて仮選択状態の番組が含まれる放送チャンネルを最も幅広に表示するようにＥＰＧ情報表示部を制御する第四制御部と、
を有するＥＰＧ機能付きテレビ装置。
【請求項５】
仮選択部にて仮選択状態の番組が含まれる放送チャンネルを最も幅広に表示するとともに、このチャンネルに隣接するチャンネル、さらに隣接するチャンネルに隣接するチャンネルと、離れるに従って徐々に中央寄りのチャンネル幅以下に幅狭の表示となるようにＥＰＧ情報表示部を制御する第五制御部を有する請求項４に記載のＥＰＧ機能付きテレビ装置。
【請求項６】
ＥＰＧ情報表示部は、
放送メディア単位でカード状にＥＰＧを表示するカード状表示手段と、
仮選択部にて仮選択状態の番組が含まれる放送メディア以外の放送メディアのカードを仮選択部にて仮選択状態のカード状のＥＰＧの両側に配置する両側配置手段と、
を有する請求項４または５に記載のＥＰＧ機能付きテレビ装置。
【請求項７】
ＥＰＧ機能付きテレビ装置の制御方法であって、
決定入力により直ちにユーザ視聴用に全画面表示される現在放送中の仮選択状態の仮選択番組画面を画面に部分的に表示するよう制御するか判断する仮選択番組画面表示制御判断ステップと、
仮選択番組画面表示制御判断ステップでの判断結果が仮選択番組画面を表示するよう制御するとの判断結果である場合に、その仮選択番組に関する情報をＥＰＧから取得してその仮選択番組に関する情報である仮選択チャンネル情報を表示するように制御するか判断する仮選択チャンネル情報表示制御判断ステップと、
仮選択チャンネル情報表示制御判断ステップの判断結果が表示するとの判断結果である場合に、仮選択番組画面を表示し、仮選択番組画面の下に仮選択チャンネル情報を表示するように制御するとともにユーザインターフェイスからの下方向指示を取得したかを判断するユーザ指示判断ステップと、
ユーザ指示判断ステップでの判断結果が下方向指示を取得したとの判断結果である場合に、ＥＰＧから次番組情報を取得する次番組情報取得ステップと、
次番組情報取得ステップにて次番組情報が取得された場合に、取得した次番組情報を仮選択番組画面の下に表示するよう制御する第一制御ステップと、を計算機に実行させるＥＰＧ機能付きテレビ装置の制御方法。
【請求項８】
第一制御ステップにより次番組情報が表示されている状態でユーザインターフェイスからの下方向指示を取得したか判断する判断ステップと、
判断ステップでの判断結果が下方向指示を取得したとの判断結果である場合にＥＰＧから現在時刻の番組情報を含む番組表を取得する番組表取得ステップと、
番組表取得ステップで取得した番組表を仮選択画番組画面および仮選択番組画面の下に表示されている情報を消去して全画面表示するように表示部を制御する第二制御ステップと、を有する請求項７に記載のＥＰＧ機能付きテレビ装置の制御方法。
【発明の詳細な説明】
【技術分野】
【０００１】
本件発明は、ユーザが直感的に操作を行うためのインターフェイスを備えるＥＰＧ機能付きテレビ装置に関するものである。
【背景技術】
【０００２】
近年、従来の地上波放送に加えて衛星放送やケーブルテレビ放送の普及に伴い視聴可能な放送メディアの数が増加している。また、それぞれの放送メディアにおいても多数の番組を放送又は配信しているため視聴可能な番組が飛躍的に増加している。加えて、これに対応したＥＰＧ（Ｅｌｅｃｔｏｒｏｎｉｃ  Ｐｒｏｇｒａｍ  Ｇｕｉｄｅ：電子番組表）によって番組コンテンツの情報を取得することができる。このように多くの番組の視聴が可能となり、また、それに関する情報が取得可能な状況のなか、ユーザが所望の番組を選択する際の使い勝手を高めるための様々な工夫がなされている。
【０００３】
例えば、特許文献１においては、放送メディアの選択と各放送メディアにおいて放送される番組の選択とを、上下左右の方向指示キーにより分かりやすく操作できるよう工夫したリモコン装置についての技術が開示されている。具体的には、上下キーにより放送メディアにおいて放送されている番組の選択を可能にすると共に、左キーを押すことにより、放送メディア内の番組選択モードから放送メディアの選択モードに移行し、その状態で上下キーの押下により放送メディアの選択ができるようになる。このように、左右のキーにより選択対象の階層を切り替え、上下キーによりそれぞれの階層における選択を行うことにより、直感的で分かりやすい操作の実現を図るものである。
【特許文献１】特開２００８−１４８１４４号公報
【発明の開示】
【発明が解決しようとする課題】
【０００４】
ところで、ユーザは番組選択を行うに当たって、現在どのチャンネルでどんな番組が放送されているかという情報だけでなく、その後にどんな放送が行われるかという情報も必要としている。例えば、視聴していた番組が終了した際には、その番組が放送されている時間帯以降に放送される番組の情報こそがユーザが求めるものである。また、番組について内容や出演者等について詳しく知りたいと思った場合には、ＥＰＧの閲覧を望む場合もある。上記特許文献１に記載の技術は、方向キーないし十字キーを用いることにより、分かりやすい操作を実現しているが、この分かりやすい操作が実現可能な選択対象は現在放送中の番組に限定されている。すなわち、上述したユーザの番組選択における一場面において実現するに過ぎず、ＥＰＧを活用して将来の番組情報をも含めた番組選択における分かりやすく直感的な操作が実現されていないという課題がある。
【課題を解決するための手段】
【０００５】
そこで、本発明では次に示すＥＰＧ機能付きテレビ装置を提供する。すなわち、第一発明としては、表示部と、決定入力により直ちにユーザ視聴用に全画面表示される仮選択状態の仮選択番組画面を含めて現在放送中の全部または一部の番組画面を略水平方向に複数チャンネル分配置したチャンネル選択画面を表示部に出力するチャンネル選択画面出力部と、仮選択番組画面の下方に表示可能な仮選択チャンネル情報を保持する仮選択チャンネル情報保持部と、仮選択番組画面の下方に表示可能な仮選択チャンネルの次番組情報を保持する次番組情報保持部と、表示切替のための方向指示可能なユーザインターフェイスと、チャンネル選択画面に前記仮選択チャンネル情報が表示されている状態で、ユーザインターフェイスからの下方向指示を取得した場合に次番組情報保持部に保持されている次番組情報を表示するよう表示部を制御する第一制御部と、を有するＥＰＧ機能付きテレビ装置を提供する。
【０００６】
第二発明としては、第一発明を基本とし、チャンネル選択画面に表示されている番組の放送メディアのＥＰＧ情報を取得するＥＰＧ情報取得部と、表示部により次番組情報が表示されている状態でさらにユーザインターフェイスからの下方向指示を取得した場合にＥＰＧ情報取得部から取得するＥＰＧ情報を全画面表示させるよう表示部を制御する第二制御部とを有するＥＰＧ機能付きテレビ装置を提供する。
【０００７】
第三発明としては、第一発明または第二発明を基本とし、前記全画面表示されたＥＰＧ表示画面では、所定の操作のため仮選択状態の番組枠が、ＥＰＧ表示をするためにユーザインターフェイスからの下方向指示を取得した際に表示されていた次番組情報で特定される番組枠となるように表示部を制御する第三制御部を有するＥＰＧ機能付きテレビ装置を提供する。
【０００８】
第四発明としては、ＥＰＧ情報を保持するＥＰＧ情報保持部と、保持されているＥＰＧ情報を表示するＥＰＧ情報表示部と、決定入力により直ちにユーザ視聴用に全画面表示されるように番組を仮選択するための仮選択部と、仮選択部にて仮選択状態の番組が含まれる放送チャンネルを最も幅広に表示するようにＥＰＧ情報表示部を制御する第四制御部とを有するＥＰＧ機能付きテレビ装置を提供する。
【０００９】
第五発明として、第四発明を基本とし、仮選択部にて仮選択状態の番組が含まれる放送チャンネルを最も幅広に表示するとともに、このチャンネルに隣接するチャンネル、さらに隣接するチャンネルに隣接するチャンネルと、離れるに従って徐々に中央寄りのチャンネル幅以下に幅狭の表示となるようにＥＰＧ情報表示部を制御する第五制御部を有するＥＰＧ機能付きテレビ装置を提供する。
【００１０】
第六発明として、第四発明または第五発明を基本とし、ＥＰＧ情報表示部は、放送メディア単位でカード状にＥＰＧを表示するカード状表示手段と、仮選択部にて仮選択状態の番組が含まれる放送メディア以外の放送メディアのカードを仮選択部にて仮選択状態のカード状のＥＰＧの両側に配置する両側配置手段とを有するＥＰＧ機能付きテレビ装置を提供する。
【００１１】
第七発明として、ＥＰＧ機能付きテレビ装置の制御方法であって、決定入力により直ちにユーザ視聴用に全画面表示される現在放送中の仮選択状態の仮選択番組画面を画面に部分的に表示するよう制御するか判断する仮選択番組画面表示制御判断ステップと、仮選択番組画面表示制御判断ステップでの判断結果が仮選択番組画面を表示するよう制御するとの判断結果である場合に、その仮選択番組に関する情報をＥＰＧから取得してその仮選択番組に関する情報である仮選択チャンネル情報を表示するよう制御するか判断する仮選択チャンネル情報表示制御判断ステップと、
仮選択チャンネル情報表示制御判断ステップの判断結果が表示するとの判断結果である場合に、仮選択番組画面を表示し、仮選択番組画面の下に仮選択チャンネル情報を表示するように制御するとともにユーザインターフェイスからの下方向指示を取得したかを判断するユーザ指示判断ステップと、
ユーザ指示判断ステップでの判断結果が下方向指示を取得したとの判断結果である場合に、ＥＰＧから次番組情報を取得する次番組情報取得ステップと、
次番組情報取得ステップにて次番組情報が取得された場合に、取得した次番組情報を仮選択番組画面の下に表示するよう制御する第一制御ステップとを計算機に実行させるＥＰＧ機能付きテレビ装置の制御方法を提供する。
【００１２】
第八発明として、第七発明を基本とし、第一制御ステップにより次番組情報が表示されている状態でユーザインターフェイスからの下方向指示を取得したか判断する判断ステップと、判断ステップでの判断結果が下方向指示を取得したとの判断結果である場合にＥＰＧから現在時刻の番組情報を含む番組表を取得する番組表取得ステップと、番組表取得ステップで取得した番組表を仮選択画番組画面および仮選択番組画面の下に表示されている情報を消去して全画面表示するように表示部を制御する第二制御ステップとを有するＥＰＧ機能付きテレビ装置の制御方法を提供する。
【発明の効果】
【００１３】
本件発明により、現在放送中の番組のみならず将来の番組情報も含めて、ユーザにとって直感的な番組選択が可能になる。
【発明を実施するための最良の形態】
【００１４】
以下、本件発明の実施の形態について、添付図面を用いて説明する。なお、本件発明は、これらの実施形態に何ら限定されるべきものではなく、その要旨を逸脱しない範囲において種々なる態様で実施し得る。
【００１５】
実施形態１は、主に請求項１、７について説明する。
【００１６】
実施形態２は、主に請求項２、８について説明する。
【００１７】
実施形態３は、主に請求項３について説明する。
【００１８】
実施形態４は、主に請求項４について説明する。
【００１９】
実施形態５は、主に請求項５について説明する。
【００２０】
実施形態６は、主に請求項６について説明する。
<実施形態１>
<実施形態１  概要>
【００２１】
本実施形態は、仮選択状態の仮選択番組画面を含めて現在放送中の全部または一部の番組画面を略水平方向に複数チャンネル分配置して表示するとともに、仮選択番組の情報を表示し、さらに、ユーザインターフェイスからの下方向指示を取得した場合には、仮選択番組の次に放送される番組コンテンツの情報を表示するＥＰＧ機能付きテレビ装置である。
<実施形態１  構成>
【００２２】
本実施形態に係るＥＰＧ機能付きテレビ装置の機能ブロック図を図１に例示する。ＥＰＧ機能付きテレビ装置（０１００）は、「チャンネル選択画面出力部」（０１０１）と、「仮選択チャンネル情報保持部」（０１０２）と、「次番組情報保持部」（０１０３）と、「ユーザインターフェイス」（０１０４）と「第一制御部」（０１０５）と「表示部」（０１０６）とを有する。
【００２３】
なお、本件発明の構成要素である各部は、ハードウェア、ソフトウェア、ハードウェアとソフトウェアの両方のいずれかによって構成される。例えば、これらを実現する一例として、コンピュータを利用する場合には、ＣＰＵ、バス、メモリ、インターフェース、周辺装置などで構成されるハードウェアと、それらハードウェア上で実行可能なソフトウェアがある。ソフトウェアとしては、メモリ上に展開されたプログラムを順次実行することで、メモリ上のデータや、インターフェースを介して入力されるデータの加工、保存、出力などにより格部の機能が実現される。さらに具体的には、図２は一般的なコンピュータの構成を例示する図であり、コンピュータが主にＣＰＵ（０２０１）、入力インターフェース（Ｉ／Ｏ）（０２０２）、ハードディスク（ＨＤＤ）（０２０３）、ＲＡＭ（０２０４）、ＲＯＭ（０２０５）等から構成されることを示しているが、本件発明に係るＥＰＧ機能付きテレビ装置は図２と同様の構成にて実現される（明細書の全体を通じて同様である）。
【００２４】
「チャンネル選択画面出力部」（０１０１）は、決定入力により直ちにユーザ視聴用に全画面表示される仮選択状態の仮選択番組画面を含めて現在放送中の全部または一部の番組画面を略水平方向に複数チャンネル分配置したチャンネル選択画面を表示部に出力する機能を有する。チャンネル選択画面は、ユーザインターフェイスを介したユーザによるチャンネル選択画面を表示させるための所定の指示に応じて表示部に出力されディスプレイなどに表示される。仮選択番組画面を含む番組画面としては、例えば、番組コンテンツの１シーン（フレーム）を切り出した画像などが挙げられる。フレームの切り出しは、例えば、放送波を受信する１または複数のチューナを介して、時分割で各放送チャンネルの放送番組データを順次取得し、画像メモリに蓄積した放送データからそのフレームを切り出してもよい。また、静止画像ではなく、所定数のフレームによる動画像を番組画面としてもよい。
【００２５】
チャンネル選択画面の一例を図３Ａに示す。仮選択番組画面（０３０２）は表示画面（０３０１）の略中央に配置され当該チャンネルにて放送中の番組が表示される。仮選択番組画面に隣接する番組画面（０３０３、０３０４）には、仮選択番組画面に表示されている放送チャンネルと隣接するチャンネルにて放送中の番組が表示される。この隣接する番組画面は、仮選択番組画面と識別しやすいように、例えば、仮想三次元空間内で傾けて配置したように表示してもよい。仮選択番組画面は、ユーザインターフェイスを介してユーザの仮選択番組の送り操作に応じて変更され、隣接する番組画面もそれに伴って変更される。このように複数の番組画面を略水平方向に配置し、例えば、左右の指示キーにより仮選択番組のチャンネル切り替えをすることで、ユーザは直感的にチャンネル選択を行うことができる。また、チャンネル選択画面は図３Ｂのように、複数の番組画面をリング状に配置したような表示態様としてもよい。このような表示態様を採用した場合には、左右の指示キーに限らず、例えば、タッチパネル上で円を描くように指乃至ペン等でなぞる操作と連動して仮選択番組の送り操作をすることで、直感的なチャンネル選択が行えるようにしてもよい。さらに、受信可能なチャンネルの数に応じて、それらの総数をユーザに感覚的に想起させるように疑似的な番組画面を表示してもよい。図３Ｂにおいては、仮選択番組画面の後方にも複数の番組画面がリング状に廻らされているかのように表示されている。チャンネル選択画面出力部は、上記のようなチャンネル選択画面を表示部に出力する。
【００２６】
「仮選択チャンネル情報保持部」（０１０２）は、仮選択番組画面の下方に表示可能な仮選択チャンネル情報を保持する機能を有する。仮選択チャンネル情報は、仮選択状態にあるチャンネルで放送中の番組に関連する情報であり、例えば、放送時間、番組のタイトル、出演者、概要などの各種の情報である。これらの情報は、予めチューナなどを介して受信した放送信号に含まれるＥＰＧ情報をデコードして記憶装置などに蓄積しておき、チャンネル選択に応じて保持してもよい。保持される仮選択チャンネル情報は、仮選択状態にあるチャンネルに応じて、第一制御部の制御に従い表示部に送信される。表示部（０１０６）は、チャンネル選択画面を表示している場合に、仮選択番組画面の下方に仮選択チャンネル情報を表示することが可能である。図３Ａ、Ｂにおいては、仮選択チャンネル情報（０３０５）として放送チャンネルと番組タイトルを表示している。表示する情報は、ユーザの好みに応じて設定可能としてもよい。仮選択チャンネル情報保持部は、仮選択チャンネル情報をＲＡＭやＨＤＤ等の所定の記憶領域に格納する。
【００２７】
「次番組情報保持部」（０１０３）は、仮選択番組画面の下方に表示可能な仮選択チャンネルの次番組情報を保持する機能を有する。仮選択番組の次番組情報とは、仮選択状態のチャンネルで放送中の番組の次に放送が予定されている番組についての情報であり、例えば、放送時間、番組のタイトル、出演者、概要などの番組に関連する各種の情報である。これらの情報は、予めチューナなどを介して受信した放送信号に含まれるＥＰＧ情報をデコードして記憶装置などに蓄積しておき、チャンネル選択に応じて保持してもよい。また、次番組がミニ番組や隙間番組などと呼ばれる番組と番組との間の短時間帯に放送される天気予報やスポットニュース等の番組である場合には、さらに次の番組情報をも含めて次番組情報として保持してもよい。保持される次番組情報は第一制御部の制御に従い表示部に送信される。次番組情報保持部は、これらの情報をＲＡＭやＨＤＤ等の所定の記憶領域に格納する。
【００２８】
「ユーザインターフェイス」（０１０４）は、操作信号入力やデータ入力などを行うためにユーザに利用され、テレビ装置やこれを遠隔操作するためのリモコン装置に備えられたボタン、方向指示キー、タッチホイール、ジョグダイヤルあるいはタッチパネルなどの入力インターフェイス等がこれに該当する。入力された操作信号などは、第一制御部などで解釈され、所定の処理に供される。また、タッチパネルのようにディスプレイを備えるユーザインターフェイスであれば、仮選択番組の送り操作を、ユーザに示唆するようなガイドを表示したり、仮選択番組の映像情報を静止画あるいは動画で表示してもよい。さらに、次番組情報を表示するための下方向指示を示唆するガイドを表示してもよい。タッチパネルの形状についても、丸、四角、多角形などの種々の形を採用してよく、平面に限らず、凹凸を設けたりドーム状のような立体的形状にしてもよい。
【００２９】
「第一制御部」（０１０５）は、チャンネル選択画面に前記仮選択チャンネル情報が表示されている状態で、ユーザインターフェイスからの下方向指示を取得した場合に次番組情報保持部に保持されている次番組情報を表示するよう表示部を制御する機能を有する。次番組情報が表示されている場合の具体例を図４に示す。この場合に、次番組情報（０４０２）として、次番組の放送時間帯と番組タイトルを仮選択番組（０４０１）の下方に表示するよう表示部を制御している。表示する次番組情報は、さらに、番組の概要を表示してもよい。表示される次番組情報はユーザの好みに応じて設定可能としてもよい。第一制御部は、ユーザインターフェイスからの下方向指示を取得した場合に次番組情報を表示するよう制御する。また、前述したように次番組情報が、さらに次の番組情報をも含めて次番組情報として保持されている場合には、短時間帯に放送される次番組である場合には、次番組情報とその次の番組情報を併せて表示するように制御してもよいし、次番組情報に換えてその次の番組情報を表示するように制御してもよい。これによりミニ番組の次に放送されるワイド番組の情報を求めるユーザの実際的なニーズに応えることが可能となる。なお、次番組情報を表示している状態で、ユーザインターフェイスから上方向指示や戻り指示を取得した場合には、再度仮選択チャンネル情報を表示するよう制御するようにしてもよい。
【００３０】
ここで、新聞のテレビ欄やＥＰＧ画面のほとんどは、横軸を放送チャンネル、縦軸を放送時刻とする一覧表形式で表現されていることは周知である。また、放送時刻を表す縦軸では、軸の上から下へ向かって放送時刻の推移を表していることも周知である。したがって、下方向指示により次番組情報を表示することは、ユーザにとって直感的な操作であると考えられる。
【００３１】
「表示部」（０１０６）は、入力された信号に基づき映像を表示する機能を有する。具体的には、例えば、液晶ディスプレイ、プラズマディスプレイ、ＥＬディスプレイなどと、グラフィックボード（ビデオカード）などにより実現される。表示部は、第一制御部の制御に従うなどして、チャンネル選択画面出力部から出力されたチャンネル選択画面上の所定領域、すなわち、仮選択番組画面の下方領域に、仮選択チャンネル情報または／及び次番組情報を表示する画面の生成し、ディスプレイなどに表示する。
<実施形態１  ハードウェア構成>
【００３２】
次に、本実施形態のＥＰＧ機能付きテレビ装置のそれぞれのハードウェア構成部の働きについて説明する。図５は、本実施形態のＥＰＧ機能付きテレビ装置のハードウェア構成の一例を示す概略図である。この図を利用して、ＥＰＧ機能付きテレビ装置のそれぞれのハードウェア構成部の働きについて説明する。この図にあるように、ＥＰＧ機能付きテレビ装置は、チャンネル選択画面出力部と第一制御部に「ＣＰＵ」（０５０１）と「メインメモリ」（０５０２）を備える。また、ＥＰＧ機能付きテレビ装置は仮選択チャンネル情報保持部と次番組情報保持部に「記憶装置」（０５０３）を備えている。また、放送される番組コンテンツを受信する「チューナ」（０５０４）や、インターネット回線を介して配信されるコンテンツやＥＰＧ情報を取得するための「インターネット接続回路」（０５０５）や外部のコンテンツ再生機器などと接続するための図示していない「外部機器接続端子」を備えている。また、ユーザインターフェイスに「操作信号受信回路」（０５０６）を備えている。また、表示部に映像信号の入出力及び描画処理などを行うグラフィックボード等である「表示回路」（０５０７）と「ディスプレイ」（０５０８）などを備えている。これらは「システムバス」（０５０９）などのデータ通信経路によって相互に接続され、情報の送受信や処理を行う。「記憶装置」はＣＰＵによって実行される各種プログラムなどを記憶している。また、「メインメモリ」は、プログラムがＣＰＵによって実行される際の作業領域であるワーク領域を提供する。また、この「メインメモリ」や「記憶装置」にはそれぞれ複数のアドレスが割り当てられており、「ＣＰＵ」の演算処理においては、そのアドレスを特定し格納されているデータにアクセスすることで、データを用いた演算処理を行うことが可能となっている。
【００３３】
操作信号受信回路がユーザインターフェイスからチャンネル選択画面の表示要求の信号を受信した場合、ＣＰＵは、チャンネル選択画面出力プログラムを実行し、直前に受信した各チャンネルの番組データがチャンネル情報と関連付けられて記憶装置に蓄積されている番組データをメインメモリの所定のアドレスに格納する。次に、各番組データと、チャンネル選択画面における仮選択番組画面及びその他の番組画面の表示枠データを表示回路に送出し、これらのデータに基づきチャンネル選択画面を生成するよう表示回路に指示する。さらに、記憶装置に保持されている仮選択チャンネル情報を取得し、表示回路に対して、上記仮選択番組画面の下方に仮チャンネル情報を重畳的に表示するような描画処理を行うよう指示する。表示回路は、これらの指示に従い描画処理を行い生成されたチャンネル選択画面をディスプレイに表示する。
【００３４】
さらに、仮選択番組画面の下方に仮選択チャンネル情報が表示されている状態で、操作信号受信回路がユーザインターフェイスから下方向指示の信号を受信した場合、ＣＰＵは、第一制御プログラムを実行し、記憶装置に保持されている次番組情報を取得し、表示回路に対して仮選択番組画面の下方に、仮選択チャンネル情報に換えて、または、仮選択チャンネル情報と併せて次番組情報を表示するような描画処理を行うよう指示する。そして、表示回路は、次番組情報が仮選択番組画面の下方に表示されるチャンネル選択画面をディスプレイに表示する。
<実施形態１  処理の流れ>
【００３５】
図６は、本実施形態のＥＰＧ機能付きテレビ装置の処理の流れの一例を示すフローチャートである。まず、決定入力により直ちにユーザ視聴用に全画面表示される現在放送中の仮選択状態の仮選択番組画面を画面に部分的に表示するよう制御するか判断する（ステップＳ０６０１）。ステップＳ０６０１での判断結果が表示するよう制御するとの判断結果である場合に、当該制御出力を行う（ステップＳ０６０２）。次に、その仮選択番組画面に関する情報をＥＰＧから取得してその仮選択番組に関する情報である仮選択チャンネル情報を表示するよう制御するか判断する（ステップＳ０６０３）。ステップＳ０６０３での判断結果が表示するよう制御するとの判断結果である場合に、当該制御出力を行う（ステップＳ０６０４）。次に、ユーザインターフェイスからの下方向指示を取得したかを判断する（ステップＳ０６０５）。ステップＳ０６０５での判断結果が下方向指示を取得したとの判断結果である場合に、ＥＰＧから次番組情報を取得する（ステップＳ０６０６）。つぎに、ステップＳ０６０６にて取得した次番組情報を仮選択番組画面の下に表示するよう制御する（ステップＳ０６０７）。この場合において、仮選択チャンネル情報の表示を消去するよう表示部を制御してもよい。そして、各ステップにて出力された制御に従って画面を表示する（ステップＳ０６０８）。
<実施形態１  効果>
【００３６】
本実施形態のＥＰＧ機能付きテレビ装置により、放送中、あるいは、その後に放送される番組情報を直感的な操作により表示することが可能となる。
<実施形態２>
<実施形態２  概要>
【００３７】
本実施形態は、表示部により次番組情報が表示されている状態でさらにユーザインターフェイスからの下方向指示を取得した場合に、ＥＰＧ情報を全画面表示することを特徴とするＥＰＧ機能付きテレビ装置である。
<実施形態２  構成>
【００３８】
本実施形態のＥＰＧ機能付きテレビは、実施形態１におけるＥＰＧ機能付きテレビにおいて、さらに、チャンネル選択画面に表示されている番組の放送メディアのＥＰＧ情報を取得するＥＰＧ情報取得部と、表示部により次番組情報が表示されている状態でさらにユーザインターフェイスからの下方向指示を取得した場合にＥＰＧ情報取得部から取得するＥＰＧ情報を全画面表示させるよう表示部を制御する第二制御部とを有するものである。
【００３９】
本実施形態に係るＥＰＧ機能付きテレビ装置の機能ブロック図を図７に例示する。ＥＰＧ機能付きテレビ装置（０７００）は、「チャンネル選択画面出力部」（０７０１）と、「仮選択チャンネル情報保持部」（０７０２）と、「次番組情報保持部」（０７０３）と、「ユーザインターフェイス」（０７０４）と「第一制御部」（０７０５）と「表示部」（０７０６）と「ＥＰＧ情報取得部」（０７０７）と「第二制御部」（０７０８）とを有する。「ＥＰＧ情報取得部」（０７０７）と第二制御部（０７０８）以外の構成については既に説明済みであるため説明を省略する。
【００４０】
「ＥＰＧ情報取得部」（０７０７）は、チャンネル選択画面に表示されている番組の放送メディアのＥＰＧ情報を取得する機能を有する。ＥＰＧ情報とは、画面に表示される電子番組表を意味するものである。放送メディアとは、地上波放送、衛星放送（ＢＳ、ＣＳ）、ケーブルテレビ等の各放送媒体を指すものであり、また、ＥＰＧ情報とは、放送やインターネット等を介して送信される電子番組表を構成するための情報を指すものである。具体的には、例えば、デジタル放送波のＭＰＥＧ２のＴＳ（Ｔｒａｎｓｐｏｒｔ  Ｓｔｒｅａｍ）にて多重化されているＳＩ（Ｓｅｒｖｉｃｅ  Ｉｎｆｏｒｍａｔｉｏｎ）やアナログ放送波のＶＢＩ（Ｖｅｒｔｉｃａｌ  Ｂｌａｎｋｉｎｇ  Ｉｎｔｅｒｖａｌ）データに含まれる電子番組表データ等が該当する。ＥＰＧ情報取得部は、具体的には、地上波デジタル放送の番組がチャンネル選択画面に表示されている場合には、地上波デジタル放送のＥＰＧ情報を取得するものである。ＥＰＧ情報取得部は、取得したＥＰＧ情報を、ＲＡＭやＨＤＤ等の所定の記憶領域に格納する。
【００４１】
「第二制御部」（０７０８）は、表示部により次番組情報が表示されている状態でさらにユーザインターフェイスからの下方向指示を取得した場合にＥＰＧ情報取得部から取得するＥＰＧ情報を全画面表示させるよう表示部を制御する。表示部は、第二制御部の制御に従い入力されたＥＰＧ情報に基づきディスプレイ等に出力される映像データを書き換えるなどの処理を行う。第二制御部により表示部にて表示される画面の変化の態様の一例を図８に示す。次番組情報が表示されている状態（図８Ａ）では、仮選択番組として「ｃＨ６」にて「アメフト選手権」（０８０１）が放送されていて、隣接する「ｃＨ４」では「人気のスイーツ」（０８０２）と、「ｃＨ８」では「天気予報」が放送されてる。そして、次番組情報として「ＡＢＣニュース」が放送時間とともに表示されている（０８０４）。図８Ｂは第二制御部の制御によりＥＰＧ情報（０８０５）が全画面表示された状態である。このように、ユーザは、インターフェイスで下方向指示を段階的に行うことによって「現在放送中の番組」から「次に放送される番組」、さらに「ＥＰＧ情報」へと番組検索のための情報を必要に応じて連続的に得ることができる。なお、ＥＰＧ情報を表示している状態で、ユーザインターフェイスから上方向指示や戻り指示を取得した場合には、再度次番組情報を表示するよう制御するようにしてもよい。また、第二制御部は、表示部により次番組情報が表示されている状態で、下方向指示によりＥＰＧ情報が表示されることをユーザに示唆するように、次番組情報が表示されている画面上の領域の下方にＥＰＧ情報を象徴するアイコン等を表示するよう表示部を制御するようにしてもよい。
<実施形態２  ハードウェア構成>
【００４２】
図９は本実施形態のＥＰＧ機能付きテレビ装置のハードウェア構成の一例を示す概略図である。本実施形態の装置のハードウェア構成は、基本的に実施形態１と共通し、「ＣＰＵ」（０９０１）、「メインメモリ」（０９０２）、「記憶装置」（０９０３）、「チューナ」（０９０４）、「インターネット接続回路」（０９０５）、「操作信号受信回路」（０９０６）、「表示回路」（０９０７）と「ディスプレイ」（０９０８）を備え、「システムバス」（０９０９）などのデータ通信経路によって相互に接続され、情報の送受信や処理を行う。
【００４３】
図示するように、ＥＰＧ情報取得部（０７０７）及び第二制御部（０７０８）は、主に、ＣＰＵとメインメモリなどにより構成される。記憶装置には予めＥＰＧ情報取得プログラム及び第二制御プログラムが記憶されている。ＣＰＵは、ユーザインターフェイスから下方向指示を取得した場合、ＥＰＧ情報取得プログラムを実行させて、チューナで受信したＥＰＧ情報を、放送メディアを識別する情報と関連付けてメインメモリに保持する。さらに、チャンネル選択画面に表示されている番組の放送メディアを識別し当該放送メディアのＥＰＧ情報をメインメモリに保持する。続いて、ＣＰＵは、第二制御プログラムを実行し、格納されている当該放送メディアのＥＰＧ情報に基づきＥＰＧ情報の全画面を生成するよう表示回路に対して指令する。表示回路は、ＶＲＡＭ等の所定領域にＥＰＧ情報を格納し、チャンネル選択画面からＥＰＧ画面への書き換え処理を行いディスプレイに表示する。
<実施形態２  処理の流れ>
【００４４】
図１０は、本実施形態のＥＰＧ機能付きテレビ装置の処理の流れの一例を示すフローチャートである。本実施形態の処理の流れは実施形態１を基本として、図６に示すステップＳ０６０８（出力された制御に従って画面を表示するステップ）までは同様であるため当該ステップまでの処理の流れの記載は省略する。そして図１０に示すように、第一制御ステップにより次番組情報が表示されている状態でにユーザインターフェイスからの下方向指示を取得したか判断する（ステップＳ１００９）。ステップＳ１００９での判断結果が下方向指示を取得したとの判断結果である場合に、ＥＰＧから現在時刻の番組情報を含む番組表を取得する（ステップＳ１０１０）。ステップＳ１０１０で取得した番組表を仮選択画番組画面および仮選択番組画面の下に表示されている情報を消去して全画面表示するように表示部を制御する（ステップＳ１０１１）。
<実施形態２  効果>
【００４５】
本実施形態のＥＰＧ機能付きテレビ装置により、現在放送中の番組のみならずＥＰＧ情報をも含んだ将来の番組情報も含めて、ユーザにとって直感的な番組選択が可能になる。
<実施形態３>
<実施形態３  概要>
【００４６】
本実施形態は、次番組情報が表示されている画面からＥＰＧ表示画面へ移行した際に、移行直前に表示されていた次番組情報で特定される番組枠が、ＥＰＧ表示画面での仮選択状態の番組枠となるようにＥＰＧ情報を全画面表示することを特徴とするＥＰＧ機能付きテレビ装置である。
<実施形態３  構成>
【００４７】
本実施形態のＥＰＧ機能付きテレビは、実施形態１または２におけるＥＰＧ機能付きテレビにおいて、さらに、前記全画面表示されたＥＰＧ表示画面では、所定操作のため仮選択状態の番組枠が、ＥＰＧ表示をするためにユーザインターフェイスからの下方向指示を取得した際に表示されていた次番組情報で特定される番組枠となるように表示部を制御する第三制御部を有するものである。
【００４８】
本実施形態に係るＥＰＧ機能付きテレビ装置の機能ブロック図を図１１に例示する。ＥＰＧ機能付きテレビ装置（１１００）は、「チャンネル選択画面出力部」（１１０１）と、「仮選択チャンネル情報保持部」（１１０２）と、「次番組情報保持部」（１１０３）と、「ユーザインターフェイス」（１１０４）と「第一制御部」（１１０５）と「表示部」（１１０６）と「ＥＰＧ情報取得部」（１１０７）と「第二制御部」（１１０８）と「第三制御部」（１１０９）を有する。「第三制御部」（１１０９）以外の構成については既に説明済みであるため説明を省略する。
【００４９】
「第三制御部」（１１０９）は、前記全画面表示されたＥＰＧ表示画面では、所定の操作のため仮選択状態の番組枠が、ＥＰＧ表示をするためにユーザインターフェイスからの下方向指示を取得した際に表示されていた次番組情報で特定される番組枠となるように表示部を制御する機能を有する。表示部は、第三制御部の制御に従いディスプレイ等に出力される映像データを書き換えるなどの処理を行う。第三制御部により制御されて表示されたＥＰＧ表示画面の一例を図１２に示す。チャンネル選択画面では仮選択番組として「アメフト選手権」（１２０１）とこれに隣接する番組として「人気のスイーツ」（１２０２）と「天気予報」（１２０３）が表示されていて、次番組情報（１２０４）として、放送時間帯が「１１：００−１２：００」である番組「ＡＢＣニュース」が表示されている。ここで、ユーザインターフェイスからの下方向指示を取得した場合には、ＥＰＧ表示画面へ移行する。ＥＰＧ表示画面においては、上述した現在放送中の各番組（「アメフト選手権」、「人気のスイーツ」、「天気予報」）放送時間帯が「１０：００−１１：００」のそれぞれ「ｃＨ６」（１２０５）、「ｃＨ４」（１２０６）、「ｃＨ８」（１２０７）の領域に表示され、「アメフト選手権」の次番組である「ＡＢＣニュース」が、「ｃＨ６」の「１１：００−１２：００」の領域に、その番組枠が所定の操作指示入力を直ちに受付ける仮選択状態の番組枠（１２０８）として表示される。したがって、ユーザは、「ＡＢＣニュース」の詳細情報を閲覧したり視聴予約や録画予約等をするための操作指示入力を直ちに行うことができる。このように、次番組情報が表示されている状態で、さらに、下方向指示を行うことにより、ユーザは、それまで行ってきた仮選択番組画面での番組選択から、ＥＰＧ表示画面での番組選択へとスムーズな感覚のもと移行することができる。
<実施形態３  ハードウェア構成>
【００５０】
図１３は本実施形態のＥＰＧ機能付きテレビ装置のハードウェア構成の一例を示す概略図である。本実施形態の装置のハードウェア構成は、基本的に実施形態１、２と共通し、「ＣＰＵ」（１３０１）、「メインメモリ」（１３０２）、「記憶装置」（１３０３）、「チューナ」（１３０４）、「インターネット接続回路」（１３０５）、「操作信号受信回路」（１３０６）、「表示回路」（１３０７）と「ディスプレイ」（１３０８）を備え、「システムバス」（１３０９）などのデータ通信経路によって相互に接続され、情報の送受信や処理を行う。
【００５１】
図示するように、第三制御部（１１０９）は、主に、ＣＰＵとメインメモリなどにより構成される。記憶装置には予め第三制御プログラムが記憶されている。ＣＰＵは、インターフェイスからの下方向指示を取得したことによりＥＰＧ情報が全画面表示された際に、第三制御プログラムを実行させて、記憶装置に保持されている次番組情報をメインメモリに格納する。そして、次番組情報を参照しＥＰＧ情報において所定の操作のため仮選択状態の番組枠を特定する。表示回路は、保持しているＥＰＧ表示画面上において、特定された番組枠を太枠で囲むなどの描画処理を行い、ディスプレイに表示する。
<実施形態３  効果>
【００５２】
本実施形態のＥＰＧ機能付きテレビ装置により、仮選択番組画面での番組選択からＥＰＧ表示画面での番組選択へ、直感的な操作によって移行することができる。
<実施形態４>
<実施形態４  概要>
【００５３】
本実施形態は、決定入力により直ちにユーザ視聴用に全画面表示される仮選択状態の番組が含まれる放送チャンネルを最も幅広に表示するようにＥＰＧ情報表示部を制御することを特徴とするＥＰＧ機能付きテレビ装置である。本実施形態は、実施形態１から３を基本としてもよいし、これらと独立したものであってもよい。
<実施形態４  構成>
【００５４】
本実施形態に係るＥＰＧ機能付きテレビ装置の機能ブロック図を図１４に例示する。ＥＰＧ機能付きテレビ装置（１４００）は、「ＥＰＧ情報保持部    」（１４０１）と、「ＥＰＧ情報表示部」（１４０２）と、「仮選択部」（１４０３）と、「第四制御部」（１４０４）とを有する。
【００５５】
「ＥＰＧ情報保持部」（１４０１）は、受信可能な放送メディアのＥＰＧ情報を保持する機能を有する。放送メディアとは、地上波放送、衛星放送（ＢＳ、ＣＳ）、ケーブルテレビ等の各放送媒体を指すものであり、また、ＥＰＧ情報とは、放送等を介して送信される電子番組表を構成するための情報を指すものである。ＥＰＧ情報保持部は、チューナ等により受信したＥＰＧ情報を、ＲＡＭやＨＤＤ等の所定の記憶領域に格納する。
【００５６】
「ＥＰＧ情報表示部」（１４０２）は、保持されているＥＰＧ情報を表示する機能を有する。具体的には、例えば、液晶ディスプレイ、プラズマディスプレイ、ＥＬディスプレイなどと、グラフィックボード（ビデオカード）などにより実現される。ＥＰＧ情報表示部は、ユーザインターフェイスによりＥＰＧ表示画面を表示するための操作指示を受付けた場合に、放送中の番組画面等から保持されているＥＰＧ情報に基づきＥＰＧ表示画面へ書き換えるなどの描画処理を行い、ディスプレイなどに表示する。なお、ＥＰＧ情報表示部は、実施形態１から３の「表示部」と同様の機能を有し、本実施形態が、実施形態１から３を基本とする場合には、「表示部」と共用のものであってもよい。
【００５７】
「仮選択部」（１４０３）は、決定入力により直ちにユーザ視聴用に全画面表示されるように番組を仮選択する機能を有する。番組の仮選択は、具体的には、ユーザインターフェイスからの方向指示などにより特定されるＥＰＧ表示画面上の番組枠を仮選択する。仮選択された番組は、決定入力により直ちに全画面表示される。また、決定入力時が、仮選択された番組の放送開始時間に至っていない場合には、仮選択された番組の詳細情報を表示したり、視聴予約や録画予約をユーザから受付ける表示をしてもよい。
【００５８】
「第四制御部」（１４０４）は、仮選択部にて仮選択状態の番組が含まれる放送チャンネルを最も幅広に表示するようにＥＰＧ情報表示部を制御する機能を有する。第四制御部により制御されて表示されるＥＰＧ表示画面の一例を図１５に示す。画面上の略中央に表示される最も幅広のチャンネル欄において太枠にて囲まれているのが仮選択状態の番組（１５０１）である。このように仮選択状態の番組が含まれる放送チャンネルを最も幅広に表示することにより、ユーザにおける視認性や操作性の向上を図ることができる。また、仮選択状態の番組が、別の放送チャンネルに移った場合には、その仮選択状態の番組が含まれる放送チャンネルが、画面上の略中央に表示されるようＥＰＧ表示画面をスクロールさせるようにしてもよい。
<実施形態４  ハードウェア構成>
【００５９】
図１６は、本実施形態のＥＰＧ機能付きテレビ装置のハードウェア構成の一例を示す概略図である。この図を利用して、ＥＰＧ機能付きテレビ装置のそれぞれのハードウェア構成部の働きについて説明する。この図にあるように、ＥＰＧ機能付きテレビ装置は、仮選択部と第四制御部に「ＣＰＵ」（１６０１）と「メインメモリ」（１６０２）を備える。また、ＥＰＧ情報表示部に、映像信号の入出力及び描画処理などを行うグラフィックボード等である「表示回路」（１６０７）と「ディスプレイ」（１６０８）を備えている。また、ＥＰＧ情報保持部に「記憶装置」（１６０３）を備えている。さらに、放送される番組コンテンツを受信する「チューナ」（１６０４）や、インターネット回線を介して配信されるコンテンツやＥＰＧ情報を取得するための「インターネット接続回路」（１６０５）や外部のコンテンツ再生機器などと接続するための図示していない「外部機器接続端子」を備えている。また、装置に対する指示信号を受け付ける「ユーザインターフェイス」（１６０６）を備えている。そして、これらは「システムバス」（１６０９）などのデータ通信経路によって相互に接続され、情報の送受信や処理を行う。「記憶装置」はＣＰＵによって実行される各種プログラムなどを記憶している。また、「メインメモリ」プログラムがＣＰＵによって実行される際の作業領域であるワーク領域を提供する。また、この「メインメモリ」や「記憶装置」にはそれぞれ複数のアドレスが割り当てられており、「ＣＰＵ」の演算処理においては、そのアドレスを特定し格納されているデータにアクセスすることで、データを用いた演算処理を行うことが可能となっている。
【００６０】
ＣＰＵは、ユーザインターフェイスからＥＰＧ情報表示の指示を取得した場合に、保持されているＥＰＧ情報を記憶装置から取得する。そして、ＥＰＧ情報を表示回路へ出力する。さらに、番組仮選択プログラムを実行しユーザインターフェイスからの指示により特定される番組を仮選択状態の番組としていったん保持する。さらに、第四制御プログラムを実行し、特定された仮選択状態の番組を特定する情報を取得し、当該情報に基づき仮選択状態の番組を含む放送チャンネルの表示領域を特定し、当該放送チャンネルが最も幅広になるよう他の放送チャンネルの表示領域を特定する。そして、各チャンネルの表示領域を特定した情報を表示回路に出力する。そして、ＥＰＧ情報表示プログラムの実行により、表示回路は特定された表示領域の情報に基づきＥＰＧ情報表示画面を生成し、ディスプレイなどに表示する。
<実施形態４  効果>
【００６１】
本実施形態のＥＰＧ機能付きテレビ装置により、ＥＰＧ表示画面での番組検索が、ユーザにとって直感的で分かりやすいものとなる。
<実施形態５>
<実施形態５  概要>
【００６２】
本実施形態は、仮選択状態の番組が含まれる放送チャンネルを最も幅広に表示すると共に、これと隣接するチャンネルの幅を離れるに従って徐々に中央寄りのチャンネル幅以下に狭くして表示することを特徴とするＥＰＧ機能付きテレビ装置である。
<実施形態５  構成>
【００６３】
本実施形態のＥＰＧ機能付きテレビは、実施形態４におけるＥＰＧ機能付きテレビにおいて、さらに、仮選択部にて仮選択状態の番組が含まれる放送チャンネルを最も幅広に表示するとともに、このチャンネルに隣接するチャンネル、さらに隣接するチャンネルに隣接するチャンネルと、離れるに従って徐々に中央寄りのチャンネル幅以下に幅狭の表示となるようにＥＰＧ情報表示部を制御する第五制御部とを有するものである。
【００６４】
本実施形態に係るＥＰＧ機能付きテレビ装置の機能ブロック図を図１７に例示する。ＥＰＧ機能付きテレビ装置（１７００）は、「ＥＰＧ情報保持部    」（１７０１）と、「ＥＰＧ情報表示部」（１７０２）と、「仮選択部」（１７０３）と、「第四制御部」（１７０４）と「第五制御部」（１７０５）とを有する。「第五制御部」（１７０５）以外の構成については既に説明済みであるため説明を省略する。
【００６５】
「第五制御部」（１７０５）は、仮選択部にて仮選択状態の番組が含まれる放送チャンネルを最も幅広に表示するとともに、このチャンネルに隣接するチャンネル、さらに隣接するチャンネルに隣接するチャンネルと、離れるに従って徐々に中央寄りのチャンネル幅以下に幅狭の表示となるようにＥＰＧ情報表示部を制御する機能を有する。第五制御部より制御されて表示されるＥＰＧ表示画面の一例を図１８に示す。画面上の略中央に表示される最も幅広のチャンネル欄において太枠にて囲まれているのが仮選択状態の番組（１８０１）である。仮選択状態の番組が含まれる放送チャンネル欄の両側に隣接するチャンネル欄は、仮選択状態の番組が含まれる放送チャンネル以下に幅が狭く表示される。さらに、これらと隣接するチャンネル欄は、中央寄りに隣接するチャンネル幅以下に幅が狭く表示される。このように離れるに従って徐々に中央寄りのチャンネル幅以下に幅狭の表示とすることにより、ユーザにおける視認性や操作性の向上を図ることができる。また、仮選択状態の番組が、別の放送チャンネルに移った場合には、その仮選択状態の番組が含まれる放送チャンネルが、画面上の略中央に表示されるようＥＰＧ表示画面をスクロールさせるようにしてもよい。さらに、離れるに従って徐々に放送チャンネル欄内の文字を小さく表現するなどしてＥＰＧ表示画面を立体的に表現してもよい。
<実施形態５  ハードウェア構成>
【００６６】
本実施形態におけるＥＰＧ機能付きテレビ装置のハードウエア構成は、基本的には図１６に示した実施形態４における装置のハードウエア構成と同様であるが、加えて、第五制御プログラムを有する。
【００６７】
ＣＰＵは、第五制御プログラムを実行させ、仮選択状態にある番組を含む放送チャンネルの識別データを取得し、当該データに基づき他のチャンネルが仮選択状態にある放送チャンネルと何チャンネル分の隔たりがあるかを算出し、その値をチャンネルと対応付けてメインメモリに保持する。そして、予め格納されている、隔たるほど表示枠が狭くなるように対応付けられている隔たりの値と表示枠の幅の値との対応テーブルを参照して各放送チャンネルの表示枠の幅の値を算出する処理を行う。そして、ＥＰＧ情報表示プログラムの実行により、表示回路は算出された表示枠の幅の値に基づきＥＰＧ情報表示画面を生成し、ディスプレイなどに表示する。
<実施形態５  効果>
【００６８】
本実施形態のＥＰＧ機能付きテレビ装置により、ＥＰＧ表示画面での番組検索が、ユーザにとって直感的で分かりやすいものとなる。
<実施形態６>
<実施形態６  概要>
【００６９】
本実施形態は、仮選択状態の番組が含まれる放送メディア以外の放送メディアのカードを仮選択部にて仮選択状態のカード状のＥＰＧの両側に配置することを特徴とするＥＰＧ機能付きテレビ装置である。
<実施形態６  構成>
【００７０】
本実施形態に係るＥＰＧ機能付きテレビ装置の機能ブロック図を図１９に例示する。ＥＰＧ機能付きテレビ装置（１９００）は、「ＥＰＧ情報保持部」（１９０１）と、「ＥＰＧ情報表示部」（１９０２）と、「仮選択部」（１９０３）と、「第四制御部」（１９０４）と「第五制御部」（１９０５）とを有し、「ＥＰＧ情報表示部」（１９０２）は、さらに、「カード状表示手段」（１９０６）と「両側配置手段」（１９０７）とを有する。「カード状表示手段」（１９０６）と「両側配置手段」（１９０７）以外の構成については既に説明済みであるため説明を省略する。
【００７１】
「カード状表示手段」（１９０６）は、放送メディア単位でカード状にＥＰＧを表示する機能を有する。カード状表示手段は、放送チャンネルと時刻との一覧表形式で表現されるＥＰＧを一枚のカード状に表示する。受信可能な放送メディアが複数存在する場合には、カード状表示手段は放送メディアごとにカード状にＥＰＧを表示する機能を有する。
【００７２】
「両側配置手段」（１９０７）は、仮選択部にて仮選択状態の番組が含まれる放送メディア以外の放送メディアのカードを仮選択部にて仮選択状態のカード状のＥＰＧの両側に配置する機能を有する。本実施形態におけるＥＰＧの表示態様の一例を図２０に示す。仮選択部にて仮選択状態の番組（２００１）が含まれる放送メディアは「地上Ｄ（地上波デジタル放送）」である。「ＣＳ（通信衛星）放送」及び「ＢＳ（放送衛星）放送」の受信も可能である場合には、メディア単位でカード状に表示された「ＣＳ」（２００２）及び「ＢＳ」（２００３）のＥＰＧを「地上Ｄ」メディアのＥＰＧの両側に配置して表示する。このように表示することにより、ユーザは仮選択状態の番組が含まれる放送メディア以外にも視聴可能なメディアが存在すること、および、それらのメディアのＥＰＧが閲覧可能であることが直感的に分かることができる。
<実施形態６  ハードウェア構成>
【００７３】
本実施形態におけるＥＰＧ機能付きテレビ装置のハードウエア構成は、基本的には図１６に示した実施形態４における装置のハードウエア構成と同様であるが、加えて、カード状表示プログラムと両側配置プログラムとを有する。
【００７４】
ＣＰＵは、カード状表示プログラムを実行させて、チューナなどによって受信され、記憶装置に格納された各放送メディアのＥＰＧ情報に基づき、これと対応したカード状のＥＰＧ画面を生成しメインメモリに格納する処理を行う。続いて、両側配置プログラムを実行させて、仮選択状態の番組が含まれる放送メディア以外の放送メディアのカード状ＥＰＧ画面を取得し、当該カード状ＥＰＧ画面が、仮選択状態のＥＰＧの両側に配置されるＥＰＧ画面を生成する処理を行い、ディスプレイに表示する。
<実施形態６  効果>
【００７５】
本実施形態のＥＰＧ機能付きテレビ装置により、ＥＰＧ表示画面での番組検索が、ユーザにとって直感的で分かりやすいものとなる。  
【図面の簡単な説明】
【００７６】
【図１】実施形態１に係るＥＰＧ機能付きテレビ装置の機能ブロック図
【図２】一般的なコンピュータの構成の一例図
【図３Ａ】実施形態１に係るチャンネル選択画面の一例図
【図３Ｂ】実施形態１に係るチャンネル選択画面の一例図
【図４】実施形態１に係る次番組情報が表示されているチャンネル選択画面の一例図
【図５】実施形態１に係るＥＰＧ機能付きテレビ装置のハードウェア構成の一例図
【図６】実施形態１に係るＥＰＧ機能付きテレビ装置の処理の流れを示すフロー図
【図７】実施形態２に係るＥＰＧ機能付きテレビ装置の機能ブロック図
【図８】実施形態２に係る表示画面の変化の態様の一例図
【図９】実施形態２に係るＥＰＧ機能付きテレビ装置のハードウェア構成の一例図
【図１０】実施形態２に係るＥＰＧ機能付きテレビ装置の処理の流れを示すフロー図
【図１１】実施形態３に係るＥＰＧ機能付きテレビ装置の機能ブロック図
【図１２】実施形態３に係るＥＰＧ表示画面の一例図
【図１３】実施形態３に係るＥＰＧ機能付きテレビ装置のハードウェア構成の一例図
【図１４】実施形態４に係るＥＰＧ機能付きテレビ装置の機能ブロック図
【図１５】実施形態４に係るＥＰＧ表示画面の一例図
【図１６】実施形態４に係るＥＰＧ機能付きテレビ装置のハードウェア構成の一例図
【図１７】実施形態５に係るＥＰＧ機能付きテレビ装置の機能ブロック図
【図１８】実施形態５に係るＥＰＧ表示画面の一例図
【図１９】実施形態６に係るＥＰＧ機能付きテレビ装置の機能ブロック図
【図２０】実施形態６に係るＥＰＧ表示画面の一例図
【符号の説明】
【００７７】
０１００    ＥＰＧ機能付きテレビ装置
０１０１    チャンネル選択画面出力部
０１０２    仮選択チャンネル情報保持部
０１０３    次番組情報保持部
０１０４    ユーザインターフェイス
０１０５    第一制御部
０１０６    表示部
【図１】
2010147628.tif 000003
【図２】
2010147628.tif 000004
【図３Ａ】
2010147628.tif 000005
【図３Ｂ】
2010147628.tif 000006
【図４】
2010147628.tif 000007
【図５】
2010147628.tif 000008
【図６】
2010147628.tif 000009
【図７】
2010147628.tif 000010
【図８】
2010147628.tif 000011
【図９】
2010147628.tif 000012
【図１０】
2010147628.tif 000013
【図１１】
2010147628.tif 000014
【図１２】
2010147628.tif 000015
【図１３】
2010147628.tif 000016
【図１４】
2010147628.tif 000017
【図１５】
2010147628.tif 000018
【図１６】
2010147628.tif 000019
【図１７】
2010147628.tif 000020
【図１８】
2010147628.tif 000021
【図１９】
2010147628.tif 000022
【図２０】
2010147628.tif 000023